(57)【要約】      （修正有）【課題】対向型電波センサーにおいて、アンテナの方向調整の際、作業者の視線が照準光軸に固定ができ、一定の正しい位置から目視で精度の高い方向調整を行うことが出来る照準器を提供する。【解決手段】接眼透光部と対物透光部と平面反射鏡とを備え、対物透光部から平面反射鏡を介して接眼透光部へ照準光軸を構成し、リフレクタアンテナに、下部に楕円状の視野絞り穴３を開けた集光防止用板２を備え、接眼透光部と平面反射鏡との間に視野絞り穴３を配置する。【選択図】図３
2019007898.tif 000002
【特許請求の範囲】
【請求項１】
電波の送信機と電波の受信機で構成される対向設置型電波センサーの
前記送信機または前記受信機に設けられた両者のアンテナの向きを確認するための照準器であって、
接眼透光部と対物透光部と平面反射鏡とを備え、
前記対物透光部から前記平面反射鏡を介して前記接眼透光部へ照準光軸を構成し、
前記アンテナは集光防止用板を備えたリフレクタアンテナとし、
前記集光防止用板の下部に楕円状の視野絞り穴を開け、
前記接眼透光部と前記平面反射鏡との間に前記視野絞り穴を配置した対向設置型電波センサーの照準器。
【発明の詳細な説明】
【技術分野】
【０００１】
本発明は、電波を送信する送信機と電波を受信する受信機とで構成される電波センサーに関するものであり、特に送信機と受信機のアンテナ方向を確認するための照準器の構造に関するものである。
【背景技術】
【０００２】
従来の防犯用として侵入者を検出する目的で使用される電波センサーには、送信機と受信機を、警戒区間を隔てて対向して設置する形態のものがある。警戒区間を人間（侵入者）が通過すると、受信中の電波の一部が遮断されて受信信号が小さくなることを利用し、検知信号を出力するものである。
【０００３】
電波は周囲の建造物やフェンス、地面などにより反射するため、電波センサーはアンテナを電波が反射してくる方向に向けても警戒状態となる場合があり、そのまま運用すると正しい警戒区間を形成することができず、検知エリアが広くなって、警戒したい区域以外の周辺の人や車、樹木などの動きを検知する誤動作が起こったり、警戒区間内の草や樹木などが風に吹かれて揺れるなどの小さな動きを検知する誤動作が起こったりする。
よって、正しい警戒区間を形成し、十分な性能を発揮するためには、送信機と受信機のアンテナ同士を正しく対向させる必要がある。
【０００４】
また、送信機と受信機との警戒区間の距離が、数百ｍとなる電波センサーも存在し、警戒区間が長くなる程、アンテナの方向調整は難しくなる。そこで、特許文献１の赤外線センサーの照準器と同様の照準器が、電波センサーにも備わっている。
【０００５】
図５は従来の照準器を示した図、図６は図５の面Ｃ概略断面図、図７は図６のＤ−Ｄ概略断面図である。
リフレクタアンテナ１１と、集光防止用板１２を備えている。集光防止用板１２はリフレクタアンテナ１１により、強い光が集光された時に電子部品が高温になって破損したり、樹脂が溶けたりすることを防ぐためのものである。
【０００６】
図５と図６に示すように、接眼透光部１４と対物透光部１５と平面反射鏡１６とを備え、対物透光部１５から平面反射鏡１６を介して接眼透光部１５へ照準光軸を構成している。照準光軸とは、対象物（対向して設置されている送信機または受信機）があるＲ方向から対物透光部、平面反射鏡、接眼透光部それぞれの中心を通る光軸をいう。
【０００７】
対象物（対向して設置されている送信機または受信機）が、接眼透光部１４から見て、対物透光部１５の中心部に位置する方向に角度調整すると、アンテナ方向が一致するようにしてある。送信機と受信機に照準器を備え、双方で照準器を用いた調整を行うことで、送信機と受信機のアンテナ同士を正しく対向させる。
【先行技術文献】
【特許文献】
【０００８】
【特許文献１】特許第５５６８８２０号公報
【発明の概要】
【発明が解決しようとする課題】
【０００９】
しかしながら、アンテナの方向調整の際、接眼透光部１４からのぞくと、作業者の視野は視野１７と広い範囲となるため、余計なものが見えてしまう。そして、平面反射鏡１６に視線が定まらず、照準光軸がどこになるかが分かりにくいため、対物透光部１５の外側（Ｒ方向）にある対象物を見つけるのが困難になる。
【００１０】
また、接眼透光部１４から平面反射鏡１６を介し対物透光部１５へ続く視線が、接眼透光部１４、平面反射鏡１６、対物透光部１５の中心に来ていない場合、即ち、視線が照準光軸からずれている場合、調整したつもりでも送信機と受信機のアンテナ同士を正しく対向させることができていない状態になり、作業者ごとのばらつきが発生し、アンテナの方向調整に精度差が出る恐れがある。
【００１１】
そこで本発明は、アンテナの方向調整の際、作業者の視線が照準光軸に固定ができ、一定の正しい位置から目視で精度の高い方向調整を行うことが出来る照準器を提供することを課題とする。
【課題を解決するための手段】
【００１２】
上記課題を解決するために、本発明の対向設置型電波センサーの照準器は、接眼透光部と対物透光部と平面反射鏡とを備え、前記対物透光部から前記平面反射鏡を介して前記接眼透光部へ照準光軸を構成し、リフレクタアンテナに、下部に楕円状の視野絞り穴を開けた集光防止用板を備え、前記接眼透光部と前記平面反射鏡との間に前記視野絞り穴を配置する。
【発明の効果】
【００１３】
本発明によれば、作業者は、接眼透光部からのぞくと、集光防止用板の下部に開けた視野絞り穴を瞬時に識別できる。そのため、接眼透光部から視野絞り穴を通して容易に一定の角度でのぞくことができ、視線を正しい角度である照準光軸に固定できる。
また、瞬時に視線を照準光軸に固定できることで、アンテナ方向の調整時間の短縮となるとともに、精度の高い目視での調整を行うことができ、作業者の違いによるアンテナ方向のバラツキを低減し、誰でも常に一定のレベルで調整を行うことができる。
【００１４】
さらに、送信機と受信機のアンテナ同士を正しく対向させることができるため、アンテナの向きが正しくなかったときに起こっていた検知エリアが広くなって警戒したい区域以外の周辺の人や車、樹木などの動きを検知する誤動作や、警戒区間内の草や樹木などが風に吹かれて揺れるなどの小さな動きを検知する誤動作が低減される。
そして、照準器の視野の絞りとして新たな部品を追加することなく、従来から使用している集光防止用板に穴を開けるだけで視野の絞り効果を出すことができることで、機器のコスト低減にもつながる。
【図面の簡単な説明】
【００１５】
【図１】本発明の照準器の実施形態を示した図である。
【図２】本発明の照準器に使用する集光防止用板を示した図である。
【図３】図１の面Ａ概略断面図である。
【図４】図３のＢ−Ｂ概略断面図である。
【図５】従来の照準器を示した図である。
【図６】図５の面Ｃ概略断面図である。
【図７】図６のＤ−Ｄ概略断面図である。
【発明を実施するための形態】
【００１６】
図１は本発明の照準器の実施形態を示した図、図３は図１の面Ａ概略断面図、図４は図３のＢ−Ｂ概略断面図である。
図１と図３に示すように、接眼透光部４と対物透光部５と平面反射鏡６とを備え、対物透光部５から平面反射鏡６を介して接眼透光部４へ照準光軸を構成している。
リフレクタアンテナ１の開口部に集光防止用板２を備えており、図２に示すように集光防止用板２の下部に楕円の視野絞り穴３を開けている。
【００１７】
図３に示すように視野絞り穴３は平面反射鏡６と接眼透光部４との間に配置し、視野絞り穴３の中心を照準光軸が通るように配置する。そのことにより、電波センサーの向きを調整する作業者が接眼透光部４からのぞいたとき、図４に示すように視野絞り穴３が瞬時に認識でき、視線を視野絞り穴３に向ければよいと分かる。
集光防止板２は黒や紺などの濃い色にすることで、より視野絞り穴３が目立ち、認識しやすくなる。
【００１８】
視線を視野絞り穴３に向けることで、作業者の視野は視野７に絞られることとなり、一定の角度でのぞき込むことができ、視線が固定され、精度の高い目視でのアンテナの方向調整を行うことができる。
また、作業者の違いによるアンテナの方向調整の精度のばらつきを低減することができ、誰が行っても常に一定レベルでアンテナの方向調整を行うことができる。
【００１９】
さらに、アンテナの方向調整を行う時の視野の絞り機構を、従来から使用している集光防止用板と兼用する構造とすることで、部品数と組み立て工数が減り、機器のコスト低減も行うことができる。
【００２０】
以上、本発明の実施形態を説明したが、上述の実施形態は例として提示したものであり、発明の範囲は、これに限定するものではなく、その他の様々な形態で実施されることが可能であり、特許請求の範囲に記載された発明の範囲とその均等の範囲に含まれるものである。
【符号の説明】
【００２１】
１  リフレクタアンテナ
２  集光防止用板
３  視野絞り穴
４  接眼透光部
５  対物透光部
６  平面反射鏡
７  視野
１１  リフレクタアンテナ
１２  集光防止用板
１４  接眼透光部
１５  対物透光部
１６  平面反射鏡
１７  視野  
【図１】
2019007898.tif 000003
【図２】
2019007898.tif 000004
【図３】
2019007898.tif 000005
【図４】
2019007898.tif 000006
【図５】
2019007898.tif 000007
【図６】
2019007898.tif 000008
【図７】
2019007898.tif 000009